(57)【要約】  【課題】  シート先端部のカールや撓みにばらつきがあっても，シート先端部の位置決め精度を確保できること。  【解決手段】  シート搬送経路中に駆動ローラＲ１とこれに対向して接触する従動ローラＲ２とからなるレジストローラＲがシート搬送方向と略直角のシート幅方向に複数配列され，シート幅方向における複数のレジストローラＲの間の位置に，該レジストローラローラＲに向かって進入するシートを案内するシートガイドｇ１を設けたシート搬送装置。ここで，シートガイドｇ１は，従動ローラＲ２側に設けられてシート先端を駆動ローラＲ１と従動ローラＲ２との接触部（ニップ部）よりも駆動ローラＲ１側の所定位置Ｐ０へ案内する。【選択図】図１
2005041669.tif 000002
【特許請求の範囲】
【請求項１】
シート搬送経路中に駆動ローラとこれに対向して接触する従動ローラとからなるローラ対がシート搬送方向と略直角のシート幅方向に複数配列され，前記駆動ローラの回転駆動及び回転停止動作によりシートの搬送及び位置決めを行うシート搬送装置において，
前記シート幅方向における複数の前記ローラ対の間の位置に，該ローラ対に向かって進入するシートを案内するシートガイドを具備してなることを特徴とするシート搬送装置。
【請求項２】
前記シートガイドが，前記従動ローラ側に設けられてシート先端を前記駆動ローラと前記従動ローラとの接触部よりも前記駆動ローラ側へ案内する第１のシートガイド部を有してなる請求項１に記載のシート搬送装置。
【請求項３】
前記駆動ローラの表面がゴム等の高摩擦材で形成されてなる請求項２に記載のシート搬送装置。
【請求項４】
前記ローラ対よりもシート搬送方向上流側における前記シート搬送経路が，前記駆動ローラ側が凹となる方向に湾曲してなる請求項２又は３に記載のシート搬送装置。
【請求項５】
前記第１のシートガイド部のシートとの接触部の形状が，前記駆動ローラ側が凹となる方向に湾曲してなる請求項４に記載のシート搬送装置。
【請求項６】
複数の前記シートガイドの前記駆動ローラ側への案内位置が，前記シート幅方向の位置によって異なるものである請求項２〜５のいずれかに記載のシート搬送装置。
【請求項７】
前記シートガイドが，前記駆動ローラ側に設けられて前記第１のシートガイド部と対向する第２のシートガイド部を有してなる請求項２〜６のいずれかに記載のシート搬送装置。
【請求項８】
前記従動ローラが前記駆動ローラ側に弾性付勢されてなる請求項２〜７のいずれかに記載のシート搬送装置。
【発明の詳細な説明】
【技術分野】
【０００１】
本発明は，シート幅方向に複数配列されたローラ対によってシートの搬送及び位置決めを行うシート搬送装置に関するものである。
【背景技術】
【０００２】
いわゆるＡＤＦ（自動原稿搬送装置）等のシート搬送装置では，供給するシート（原稿等）のトレイから原稿読み取り部や画像形成部等の処理部へ至るシート搬送経路中に，レジストローラと呼ばれるローラ対が設けられ，このレジストローラの回転動作及びその停止動作によってシートの搬送及びシート搬送方向におけるシート先端部の位置決めが行われることが多い。
このレジストローラは，所定の駆動源によって回転駆動される駆動ローラと，これに対向して接触することにより従動回転する従動ローラとからなり，このようなレジストローラが，シートの幅方向（シート搬送方向に略直角の方向）に複数配列される。そして，前工程から搬送されてくるシートを，回転駆動するレジストローラのニップ部（駆動ローラと従動ローラとの接触部）で捕捉し（挟み込み），シートを捕捉した状態で回転を一旦停止する。この回転停止のタイミングは，上流側に設けられたシート通過センサによるシート通過検出後の経過時間等により決定される。これにより，シート先端部の捕捉後に，さらに前工程のシート後端部付近でシートの搬送が継続しても，シートが撓むだけでシート先端部は位置決めされ，後工程への搬送開始タイミングを調節することができる。
ここで，レジストローラのシート搬送方向上流側にはシートガイドが設けられ，このシートガイドによってレジストローラのニップ部にシートを案内する。
また，特許文献１には，駆動ローラ（レジストローラ）とコンタクトガラスとの間にニップ部を形成し，このニップ部の上流側（シート搬送方向上流側）に設けた弾性ガイド部材によって原稿をコンタクトガラスに弾性付勢するものが示されている。
【特許文献１】特開平０３−１８０４９号公報
【発明の開示】
【発明が解決しようとする課題】
【０００３】
図９は，駆動ローラ１ａ及び従動ローラ１ｂからなるレジストローラ１とその上流側（シート搬送方向上流側）でシートを案内する従来のシートガイド２との概略断面を表す図である。
図９に示すように，レジストローラ１の上流側に配置される従来のシートガイド２は，回転するレジストローラ１と接触しないように，シート搬送方向においてある程度の間隔を隔てて設ける必要がある。このため，搬送されてくるシートの先端部のカールの形成度合いや，自重によるシート先端部の撓みの度合いがばらつくと，シート先端部がレジストローラ１のニップ部に捕捉される状態がばらつき，シート先端部の位置決め精度が悪化する。その結果，画像読み取り部における原稿画像の読み取りタイミングのずれや画像形成部における画像形成位置のずれが生じ，画像処理の品質に悪影響を及ぼす，さらには，シートの斜め送りや折れ，ジャム（詰まり）の発生等にもつながるという問題点があった。
また，特許文献１に示される技術では，コンタクトガラス（画像読み取り部）の位置にレジストローラを配置しなければならないことや，駆動ローラ１ａと接触してニップ部を形成する部材がコンタクトガラスに特定されるといった制約があり，設計の自由度がなくなるという問題点があった。
従って，本発明は上記事情に鑑みてなされたものであり，その目的とするところは，シート先端部のカールや撓みにばらつきがあっても，シート先端部の位置決め精度を確保できるシート搬送装置を提供することにある。
【課題を解決するための手段】
【０００４】
上記目的を達成するために本発明は，シート搬送経路中に駆動ローラとこれに対向して接触する従動ローラとからなるローラ対がシート搬送方向と略直角のシート幅方向に複数配列され，前記駆動ローラの回転駆動及び回転停止動作によりシートの搬送及び位置決めを行うシート搬送装置において，前記シート幅方向における複数の前記ローラ対の間の位置に，該ローラ対に向かって進入するシートを案内するシートガイドを具備してなることを特徴とするシート搬送装置として構成されるものである。
このような構成によれば，シートガイドとローラ対（レジストローラ）とがシートの幅方向（横方向）の略直線上に配列できるので，シートガイドとローラ対との間にシート搬送方向における間隔を設ける必要がなく，シートのカール形成度合いや撓み度合いに関わらず，常にローラ対の一定の位置にシート先端を案内することができる。
【０００５】
ここで，前記シートガイドが，前記従動ローラ側に設けられてシート先端を前記駆動ローラと前記従動ローラとの接触部よりも前記駆動ローラ側へ案内する第１のシートガイド部を有してなるものが考えられる。
これにより，シートは，前記ローラ対の接触部（ニップ部）に捕捉されたときに，前記第１のシートガイドによって前記駆動ローラに対して付勢されることとなり，捕捉後の搬送時に前記駆動ローラがシート表面を滑って空回りする現象が生じにくくなる。
この場合，前記駆動ローラの表面がゴム等の高摩擦材で形成されたものであれば，シート先端は，前記ニップ部で捕捉された後にそのローラ表面上で滑ることがなく，前記駆動ローラの表面の移動に従って確実に搬送される。
また，以上のような構成は，前記ローラ対よりもシート搬送方向上流側における前記シート搬送経路が，前記駆動ローラ側が凹となる方向に湾曲している場合により好適である。シート搬送経路がこのように湾曲していると，シートの平面状に戻ろうとする反力によってシート先端部が前記従動ローラ側，即ち，前記第１のシートガイド側へ向かおうとするため，シート先端部が確実に前記シートガイドに沿って（シートガイドから浮くことなく）案内される。
さらに，前記第１のシートガイド部のシートとの接触部の形状が，前記駆動ローラ側が凹となる方向に湾曲していれば，シート先端部がよりスムーズに案内される。
【０００６】
また，複数の前記シートガイドの前記駆動ローラ側への案内位置が，前記シート幅方向の位置によって異なるものとすれば，シートサイズ（シート幅）に応じて適切な位置へ案内するシートガイドを構成することができる。
例えば，はがき等の小サイズで厚紙の湾曲しにくいシートに対応する位置のシートガイドの高さを低くして，前記駆動ローラ側の比較的ニップ部（接触部）に近い位置（浅い位置）に案内し，大サイズのシートに対応する位置のシートガイドの高さを高くして，前記駆動ローラ側の比較的ニップ部から遠い位置（深い位置）に案内すること等が考えられる。
また，前記シートガイドが，前記駆動ローラ側に設けられて前記第１のシートガイド部と対向する第２のシートガイド部を有してなるものであれば，シートをその両面側からガイドしてより確実にシート先端を目的の位置へ導くことができる。
また，前記従動ローラが前記駆動ローラ側に弾性付勢されたものが考えられる。このように，弾性付勢の機構を前記従動ローラ側に設けるほうが構成しやすい。
【発明の効果】
【０００７】
本発明によれば，シート幅方向（シート搬送方向と略直角の方向）における複数のローラ対の間の位置に，ローラ対に向かって進入するシートを案内するシートガイドが設けられることにより，シートガイドとローラ対との間にシート搬送方向における間隔を設ける必要がなく，シートのカール形成度合いや撓み度合いに関わらず，常にローラ対の一定の位置にシート先端を案内することができる。その結果，シート先端部がローラ対のニップ部に捕捉されるタイミングが一定（安定）し，シート先端部の位置決め精度が高まる。
さらに，前記シートガイドが，前記従動ローラ側に設けられてシート先端を前記駆動ローラと前記従動ローラとの接触部よりも前記駆動ローラ側へ案内するガイド部を有すれば，シートは，前記ローラ対の接触部（ニップ部）に捕捉されたときに，ガイド部によって前記駆動ローラに対して付勢されることとなり，前記駆動ローラがシート表面を滑って空回りする現象が生じにくくなる。
その結果，画像読み取り部における原稿画像の読み取りタイミングのずれや画像形成部における画像形成位置のずれを防止して，画像処理の品質を安定化でき，さらに，シートの斜め送りや折れ，ジャム（詰まり）の発生を防止できる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の第１の実施の形態に係るシート搬送装置Ｘ１の構成を表す斜視図と側断面図と正面図，図２は本発明の第２の実施の形態に係るシート搬送装置Ｘ２の構成を表す側断面図，図３は本発明の第３の実施の形態に係るシート搬送装置Ｘ３の構成を表す側断面図，図４は本発明の第４の実施の形態に係るシート搬送装置Ｘ４の構成を表す斜視図と側断面図，図５は本発明の第５の実施の形態に係るシート搬送装置Ｘ５の構成を表す側断面図，図６は本発明の実施の形態に係るシート搬送装置Ｘ６の構成を表す側断面図と斜視図，図７は本発明の第６の実施の形態に係るシート搬送装置Ｘ７の構成を表す側断面図と斜視図，図８は本発明の各実施の形態に係るシート搬送装置が搭載される画像形成装置の概略構成を表す側断面図，図９は従来のシート搬送装置の構成を表す側断面図である。
【０００９】
まず，図８に示す断面図を用いて，後述する本発明の各実施の形態に係るシート搬送装置が搭載される画像形成装置１の構成について説明する。
本画像形成装置１は，印刷モードとしてコピアモード（複写モード），プリンタモード，ＦＡＸモードを有しており，不図示の操作部からの操作入力や，パーソナルコンピュータ等の外部ホスト装置からの印刷ジョブの受信に応じた印刷モードが，不図示の制御部によって選択される。
図１に示すように，本画像形成装置１は，原稿読み取り部１０，給紙部２０，印刷部３０，排紙部４０に大別され，原稿読み取り部１０が給紙部２０の上方に配設され，排紙部４０が原稿読み取り部１０と給紙部２０の中間部位に配設されている。
以下に，上記各処理モードの中からコピアモードについて説明する。
ユーザが，原稿読み取り部１０（スキャナ部）のプラテンガラス１１上に原稿を載置した後，給紙部２０の給紙カセット２１或いは装置側面に設けられた手差しトレイ２３に用紙（記録シート）を装着し，さらに装置の外装前面部に配置される操作パネル（不図示）上の条件入力キー（印刷枚数／印刷倍率等々）を入力した後に，操作パネルのスタートキーを操作するとコピー動作が開始される。
スタートキーが操作されると，メイン駆動モータ（不図示）が始動し，各駆動ギヤが回転する。その後，給紙ローラ２２又は２２ａが回転して用紙が装置内へ送出（給紙）され，給紙された用紙はレジストローラ３１（ローラ対）に到達して捕捉される。このレジストローラ３１により，用紙は，感光体ドラム３２上に形成される画像の先端部（画像形成開始部）と同期をとるために一時停止され，用紙の先端部が均一にレジストローラ３１に押しつけられて用紙の先端位置の補正が行なわれるとともに，用紙の斜め送りも補正される。
【００１０】
一方，原稿読み取り部１０においては，コピーランプ１２ａ（光源）が点灯し，コピーランプユニット１２が矢印方向へ移動することで露光が開始される。コピーランプ１２ａにより原稿に照射された照射光は，原稿の画像情報を含む反射光（原稿からの反射光）となり，該反射光は，コピーランプユニット１２に設けられた第１ミラー１２ｂから第２ミラー１３，第３ミラー１４，光学レンズ１５から，ＣＣＤ１６へ入力されることによって読み取られる。
このようにして読み取られた画像情報は，不図示の制御部が備えるＣＣＤ回路で，光の画像情報が電気的信号に変換され，その画像情報信号は，設定された条件で画像処理が行われ，ＬＳＵユニット３３へプリントデータとして送信される。
他方，感光体ドラム３２は，帯電ユニット３４により，全体が所定帯電電位に帯電される。ＬＳＵユニット３３からのレーザ光は，不図示のポリゴンミラーや各種レンズを通して，感光体ドラム３２へ照射されて，感光体ドラム３２上に静電潜像が形成される。その後，現像槽３５中のＭＧローラ３５ｓ上のトナーが，感光体ドラム３２表面上に引き寄せられ，静電潜像はトナーによって感光体ドラム３２上の電位ギャップに応じて顕像化される。
また，作像される用紙（シート）は，タイミングを合わせてレジストローラ３１により，感光体ドラム３２方向へ搬送され，転写ユニット３６（コロナチャージャ）により感光体ドラム３２上のトナーが用紙に転写される。感光体ドラム３２上の残留したトナーはドラムユニットのクリーニングブレード３７ａによってかきとられ，クリーナーユニット３７により回収される。
【００１１】
他方，トナーの転写が終了した用紙は，定着装置３８（定着工程）の上ヒートローラ３８ａと下ヒートローラ３８ｂを通過して，熱と圧力が加えられ，用紙上の未定着トナーが用紙に溶融・固着され，排紙ローラ４１により排紙トレイ４２に排出される。
また，原稿読み取り部１０が備える原稿トレイ１９に原稿が載置されていることが，所定のセンサにより検出されている場合には，所定のスタートキー操作がなされたときに給紙ローラ５１が回転し，原稿トレイ１９上に載置された原稿が原稿読み取り部１０内へ送出されて所定の搬送経路Ｒｔ１中を搬送される。この搬送経路Ｒｔ１には，レジストローラ５３が設けられており，このレジストローラ５３によって原稿が捕捉され，原稿先端の位置決めが行われた後，所定のタイミングで原稿読み取り位置へ搬送される。この原稿先端の位置決めにより、原稿の斜め送りも補正される。
一方，前記コピーランプユニット１２が所定の停止位置（原稿読み取り位置）で停止したまま搬送中の原稿を露光する。この露光により得られた原稿からの反射光により原稿画像を読み取る処理は前述した通りである。
このようにして画像が読み取られた原稿は，原稿排出部１８へ排出される。
以下に示す本発明の実施例に係るシート搬送装置Ｘ１〜Ｘ７は，図８に示すような画像形成装置１に対し，原稿用の前記レジストローラ５３或いは記録紙用の前記レジストローラ３１と，それらレジストローラへ原稿や記録紙等のシートを案内するシートガイドとを備えたシート搬送装置として搭載されるものである。
【００１２】
（第１の実施の形態）
まず，図１を用いて，本発明の第１の実施の形態に係るシート搬送装置Ｘ１の構成について説明する。図１（ａ），（ｂ），（ｃ）は，各々シート搬送装置Ｘ１の従動ローラ側斜視図，側断面図及び正面図である。
図１（ｂ）に示すように，シート搬送装置Ｘ１は，シート搬送経路中に設けられた駆動ローラＲ１とこれに対向して接触する従動ローラＲ２とからなるローラ対（以下，レジストローラＲという）が，シート搬送方向と略直角のシート幅方向（各ローラの回転軸方向）に複数配列され，前記シート幅方向における複数の前記レジストローラＲの間の位置に，該レジストローラＲに向かって進入するシートを案内するシートガイドｇ１が設けられたものである。ここで，前記駆動ローラＲ１の回転駆動及び回転停止動作によりシートの搬送及び位置決めが行われる。
このような構成によれば，シートガイドｇ１とレジストローラＲとがシートの幅方向（横方向）の略直線上に配列できるので，図１（ｂ）に示すように，側面方向から見て，シートガイドｇ１とローラ対との間にシート搬送方向における間隔（隙間）を設ける必要がなく，シートのカール形成度合いや撓み度合いに関わらず，常にレジストローラＲの一定の位置Ｐ0（以下，進入位置Ｐ0という）にシート先端を案内することができる。
【００１３】
ここで，前記シートガイドｇ１（前記第１のシートガイドの一例）は，従動ローラＲ２側に設けられており，シート先端を駆動ローラＲ１と従動ローラＲ２との接触部（ニップ部）よりも駆動ローラＲ１側の進入位置Ｐ0へシート先端を案内するよう形成されている。これにより、進入位置のバラツキを小さくできる。
図１（ｃ）は，このようなシート搬送装置Ｘ１において，搬送されたシートが停止中のレジストローラＲ（ローラ対）のニップ部に捕捉されたときの状態を表す正面図（シート搬送方向下流側から見た図）である。
図１（ｃ）に示すように，前記従動ローラＲ２側の前記シートガイドｇ１によって前記駆動ローラＲ１側へシートを案内することにより，その後，シートがレジストローラＲ（ローラ対）のニップ部に捕捉されたシートは，シート搬送方向から見て波状となり，シートガイドｇ１によって前記駆動ローラＲ１に対して付勢されることとなる。その結果，前記駆動ローラＲ１がシート表面を滑って空回りする現象が生じにくくなる。
また，前記駆動ローラＲ１の表面がゴム等の高摩擦材で形成されたものであれば，シート先端は前記レジストローラＲのニップ部（接触部）に捕捉された後に、前記駆動ローラＲ１により搬送される際にローラ表面上で滑ることがなく，前記駆動ローラＲ１の表面の移動に従って確実にシートが搬送される。
【００１４】
（第２の実施の形態）
次に，図２を用いて，本発明の第２の実施の形態に係るシート搬送装置Ｘ２について説明する。
シート搬送装置Ｘ２は，シートガイドの形状が若干異なる以外は，前記シート搬送装置Ｘ１と同じ構成である。
シート搬送装置Ｘ２におけるシートガイドｇ１２は，レジストローラＲからシート搬送方向上流側の長さａが，前記シート搬送装置Ｘ１のそれ（長さｂ）よりも長く形成されている。このような形状により，上流側からのシートの進行方向に対する前記シートガイドｇ１２の傾斜角度をより浅く（小さく）でき，シートを詰まらせずにスムーズにガイドできる。
【００１５】
（第３の実施の形態）
次に，図３を用いて，本発明の第３の実施の形態に係るシート搬送装置Ｘ３について説明する。
シート搬送装置Ｘ３は，前記シート搬送装置Ｘ２に対し，前記シートガイドｇ１に対向して，前記駆動ローラＲ１側に第２のシートガイドｇ２を設けたものである。
このような構成により，シートをその両面側からガイドしてより確実にシート先端を目的の位置Ｐ0へ導くことができる。
【００１６】
（第４〜６の実施の形態）
次に，図４を用いて，本発明の第４の実施の形態に係るシート搬送装置Ｘ４について説明する。
ここで，図４（ａ），（ｂ），（ｃ）は，各々シート搬送装置Ｘ４の側断面図，従動ローラＲ２側の斜視図及びレジストローラＲのニップ部を拡大した側断面図である。
シート搬送装置Ｘ４は，図４（ａ）に示すように，前記レジストローラＲよりもシート搬送方向上流側におけるシート搬送経路Ｒｔ１が，前記駆動ローラＲ１側が凹となる方向に湾曲している装置への適用例である。
ここで，前記レジストローラＲのシート幅方向における間に設けられるシートガイドｇ１３のシートとの接触部の形状が，前記駆動ローラＲ１側が凹となる方向に湾曲して形成されている。
このようにシート搬送経路Ｒｔ１が湾曲していると，シートの平面状に戻ろうとする反力によってシート先端部が前記従動ローラＲ２側，即ち，前記シートガイドｇ１３側へ向かおうとするため，シート先端部が確実に前記シートガイドに沿って（シートガイドから浮くことなく）案内される。
また，シートガイドｇ１３も前記シート搬送経路Ｒｔ１と同方向に湾曲した形状とすることにより，シート先端部がよりスムーズに案内される。
【００１７】
ここで，スムーズなシート搬送を可能とする構成の一例を示す。
前記シート搬送経路Ｒｔ１の湾曲面の曲率半径ｒ１が２０ｍｍ，前記駆動ローラＲ１の直径φ１が１５ｍｍ，前記従動ローラＲ２の直径φ２が１２ｍｍである場合，両ローラＲ１，Ｒ１の両回転軸に対して直角の方向Ｄにおける前記シート搬送経路Ｒｔ１の前記従動ローラＲ２側の面Ｒｔ１ｘから前記従動ローラＲ２の周面の高さをｈａ，面Ｒｔ１ｘから前記シートガイドｇ１４のシート接触面までの高さをｈｂとすると（図４（ｃ）参照），例えば，ｈａ＝１．５ｍｍ，ｈｂ＝２．２ｍｍとすれば，スムーズなシート搬送が可能である。もちろんこれは一例であり，これに限るものではない。
例えば，図５に示す本発明の第５の実施の形態に係るシート搬送装置Ｘ５のように，湾曲したシート搬送経路Ｒｔ１に対して，平面状のシート接触面を有するシートガイドｇ１５を設けたものも考えられる。
また，図６に示す本発明の第６の実施の形態に係るシート搬送装置Ｘ６（（ａ）は側断面図，（ｂ）は斜視図）のように，前記駆動ローラＲ１側が凹となる方向に湾曲したシート搬送経路Ｒｔ１に対して，前記駆動ローラＲ１側が凸となる方向に湾曲したシート接触面を有するシートガイドｇ１６を設けたものも考えられる。
【００１８】
（第７の実施の形態）
次に，図７を用いて，本発明の第７の実施の形態に係るシート搬送装置Ｘ７について説明する。ここで，図７（ａ）はシート搬送装置Ｘ７の側断面図，図７（ｂ）は同斜視図である。
シート搬送装置Ｘ７は，前記シート搬送装置Ｘ１における複数のシートガイドの前記駆動ローラＲ１側への案内位置が，シート幅方向の位置によって異なる以外は，前記シート搬送装置Ｘ１と同じ構成である。
これまで示したように，シートガイドによって前記駆動ローラＲ１側に案内すると，シートがニップ部で捕捉されたときに，図１（ｃ）に示したようにシートがシート搬送方向から見て波状となるが，はがき等の小サイズのシートは比較的腰が強いため，あまり大きく曲げることは望ましくない。一方，比較的腰の弱い大サイズのシートは，より前記駆動ローラＲ１側に深く案内してシートを前記駆動ローラＲ１により強く付勢した方が安定した搬送力が得られる。
このように，シートサイズ（シート幅）に応じてシート先端部を案内する適切な位置が異なる。
そこで，図７に示すように，シート搬送装置Ｘ７は，はがき等の小サイズのシートに対応する位置のシートガイドｇ１７Ｈの高さＬを低くして，前記駆動ローラＲ１側の比較的ニップ部（接触部）に近い位置（浅い位置）に案内し，大サイズのシートに対応する位置のシートガイドｇ１７Ｌの高さＨを高くして，前記駆動ローラＲ１側の比較的ニップ部から遠い位置（深い位置）に案内するよう構成されている。
これにより，シートサイズ（シート幅）に応じて適切な位置へ案内するシートガイドを構成することができる。
【産業上の利用可能性】
【００１９】
本発明は，複数並列されたローラ対によってシートの搬送及び位置決めを行うレジストローラ等を備えた画像形成装置等への利用が可能である。
【図面の簡単な説明】
【００２０】
【図１】本発明の第１の実施の形態に係るシート搬送装置Ｘ１の構成を表す斜視図と側断面図と正面図。
【図２】本発明の第２の実施の形態に係るシート搬送装置Ｘ２の構成を表す側断面図。
【図３】本発明の第３の実施の形態に係るシート搬送装置Ｘ３の構成を表す側断面図。
【図４】本発明の第４の実施の形態に係るシート搬送装置Ｘ４の構成を表す斜視図と側断面図。
【図５】本発明の第５の実施の形態に係るシート搬送装置Ｘ５の構成を表す側断面図。
【図６】本発明の実施の形態に係るシート搬送装置Ｘ６の構成を表す側断面図と斜視図。
【図７】本発明の第６の実施の形態に係るシート搬送装置Ｘ７の構成を表す側断面図と斜視図。
【図８】本発明の各実施の形態に係るシート搬送装置が搭載される画像形成装置の概略構成を表す側断面図。
【図９】従来のシート搬送装置の構成を表す側断面図。
【符号の説明】
【００２１】
１…画像形成装置
１０…画像読み取り部
１８…原稿排出部
２０…給紙部
３０…印刷部
３１，５３…レジストローラ
３２…感光体ドラム
３４…帯電ユニット
３５…現像槽
３６…転写ユニット
３８…定着装置
４０…排紙部
Ｒ１…駆動ローラ
Ｒ２…従動ローラ
ｇ１，ｇ１２，ｇ１３，，，…シートガイド（第１のシートガイド）
ｇ２…第２のシートガイド
【図１】
2005041669.tif 000003
【図２】
2005041669.tif 000004
【図３】
2005041669.tif 000005
【図４】
2005041669.tif 000006
【図５】
2005041669.tif 000007
【図６】
2005041669.tif 000008
【図７】
2005041669.tif 000009
【図８】
2005041669.tif 000010
【図９】
2005041669.tif 000011